(57)【要約】【課題】  入浴時に頭髪が濡れることを防止するためのシャワーキャップにおいて、特にうなじ部分が濡れることを効果的に防ぐとともに、着脱などの取扱いが簡易なシャワーキャップを提供する。【解決手段】  入浴時に頭髪が濡れることを防止するためのシャワーキャップであって、頭部に巻くことによりキャップ本体が形成されるとともに、頭部に巻いた際にうなじ部分が濡れることを防止するための幅広部が設けられたシート状のキャップ本体と、前記キャップ本体に連結して設けられ、キャップ本体を頭部に巻いた際に、キャップ本体の両端部を留める留め部材と、前記キャップ本体に設けられ、シャワーキャップ収納時に掛け止め可能な収納用部材とから構成する。【選択図】  図１
2006239149.tif 000002
【特許請求の範囲】
【請求項１】
入浴時に頭髪が濡れることを防止するためのシャワーキャップであって、
頭部に巻くことによりキャップ本体が形成されるとともに、頭部に巻いた際にうなじ部分が濡れることを防止するための幅広部が設けられたシート状のキャップ本体と、
前記キャップ本体に連結して設けられ、キャップ本体を頭部に巻いた際に、キャップ本体の両端部を留める留め部材と、
前記キャップ本体に設けられ、シャワーキャップ収納時に掛け止め可能な収納用部材とから構成されたことを特徴とするシャワーキャップ。
【請求項２】
前記シャワーキャップ本体は、防水性素材であることを特徴とする、請求項１に記載のシャワーキャップ。
【請求項３】
前記シャワーキャップ本体は、軟質樹脂であることを特徴とする、請求項１に記載のシャワーキャップ。
【請求項４】
前記シャワーキャップ本体は、伸縮性のある素材であることを特徴とする、請求項１に記載のシャワーキャップ。
【請求項５】
前記シャワーキャップ本体は、少なくとも上下それぞれの縁に伸縮性部材が用いられたことを特徴とする、請求項１に記載のシャワーキャップ。
【請求項６】
前記留め部材と、前記収納用部材とは、同一部材であることを特徴とする、請求項１〜５のいずれかに記載のシャワーキャップ。
【請求項７】
前記キャップ本体には、長髪が濡れることを防止するために、長髪に巻いて頭髪を収用するための長髪保護部が設けられたことを特徴とする、請求項１〜６のいずれかに記載のシャワーキャップ。
【発明の詳細な説明】
【技術分野】
【０００１】
本発明は、入浴時に頭髪が濡れることを防止するためのシャワーキャップに関し、特にうなじ部分が濡れることを効果的に防ぐとともに、着脱などの取扱いが簡易なシャワーキャップに関する。
【背景技術】
【０００２】
従来より、入浴時に頭髪が濡れることを防止するためのシャワーキャップとしては各種のものが知られており、その素材も各種のものが開発されている。
【発明の開示】
【発明が解決しようとする課題】
【０００３】
しかしながら、従来のシャワーキャップにおいては、通常知られている円形のキャップでは、頭部の後ろのうなじ部分を保護するようにはされていないので、うなじの頭髪が濡れてしまうことが防げないものであった。
【特許文献１】実用新案登録第３０４２２０１号公報
【特許文献２】実開平７−３６９０８号公報
【特許文献３】特開平８−１００３８号公報
【０００４】
実用新案登録第３０４２２０１号「小型シャワーキャップ」においては、小型の液体不透過の袋と弾力性の高い輪ゴムによって、頭皮が蒸れることなく、長い髪を確実に液体から遮断する小型シャワーキャップが提案されている。
頭部の半分程度の直径をもつ液体不透過な袋と、前記袋の開放部分の縁に緩いゴムを保持し、手首程度の直径をもつ輪ゴムを用い、長い髪を頭部後方でしっかり止め、その上に、前記袋をかぶせ、前記緩いゴムで袋を固定することによって、頭皮を蒸らすことなく髪が濡れることを防止するというものである。
しかしながら、上記考案においては、シャワーキャップは通常知られている形状、構造をしており、従来のキャップと同様に、頭部の後ろのうなじ部分を保護するようにはされていないので、うなじの頭髪が濡れてしまうことが防げないものであった。
【０００５】
実開平７−３６９０８「シャワーキャップ」においては、シャワーを浴び或いは入浴する際に、頭髪の濡れ等を防止すべく頭部に着用するためのシャワーキャップが提案されている。
シャワーキャップ本体を、防水性及び通気性を有する素材で構成し、通気性により汗の発生、蒸れ等を防止するというものである。
しかしながら、上記考案においては、防水性及び通気性を有する素材に特徴を有するものであり、シャワーキャップ本体は通常知られている形状、構造をしており、従来のキャップと同様に、頭部の後ろのうなじ部分を保護するようにはされていないので、うなじの頭髪が濡れてしまうことが防げないものであった。
【０００６】
特開平８−１００３８「シャワーキャップ」においては、面倒なタオル等の巻き付け作業をしなくても、ムレ等による不快感及び髪の型崩れを十分に抑えることができるシャワーキャップが提案されている。
プラスティックフィルムにより形成されたキャップ部と、これの被り口に設けられたギャザー部とを有するシャワーキャップであって、キャップ部の全体又は一部に、表面張力で水滴は通過せず且つ水蒸気は自由に通過できる小孔を多数設けたものである。
しかしながら、上記発明においても、表面張力で水滴は通過せず且つ水蒸気は自由に通過できる小孔を多数設けた素材に特徴を有するものであり、シャワーキャップ本体は通常知られている形状、構造をしており、従来のキャップと同様に、頭部の後ろのうなじ部分を保護するようにはされていないので、うなじの頭髪が濡れてしまうことが防げないものであった。
【０００７】
そこで本発明においては、上記の様々な課題を解決し、入浴時に頭髪が濡れることを防止するためのシャワーキャップにおいて、特にうなじ部分が濡れることを効果的に防ぐとともに、着脱などの取扱いが簡易なシャワーキャップを提供することを目的とする。
【課題を解決するための手段】
【０００８】
上記課題を解決するため、請求項１に記載の発明においては、
入浴時に頭髪が濡れることを防止するためのシャワーキャップであって、
頭部に巻くことによりキャップ本体が形成されるとともに、頭部に巻いた際にうなじ部分が濡れることを防止するための幅広部が設けられたシート状のキャップ本体と、
前記キャップ本体に連結して設けられ、キャップ本体を頭部に巻いた際に、キャップ本体の両端部を留める留め部材と、
前記キャップ本体に設けられ、シャワーキャップ収納時に掛け止め可能な収納用部材とから構成されたシャワーキャップであることを特徴としている。
【０００９】
また、上記課題を解決するため、請求項２に記載の発明においては、
前記シャワーキャップ本体は、防水性素材である、請求項１に記載のシャワーキャップであることを特徴としている。
【００１０】
また、上記課題を解決するため、請求項３に記載の発明においては、
前記シャワーキャップ本体は、軟質樹脂である、請求項１に記載のシャワーキャップであることを特徴としている。
【００１１】
また、上記課題を解決するため、請求項４に記載の発明においては、
前記シャワーキャップ本体は、伸縮性のある素材である、請求項１に記載のシャワーキャップであることを特徴としている。
【００１２】
また、上記課題を解決するため、請求項５に記載の発明においては、
前記シャワーキャップ本体は、少なくとも上下それぞれの縁に伸縮性部材が用いられた、請求項１に記載のシャワーキャップであることを特徴としている。
【００１３】
また、上記課題を解決するため、請求項６に記載の発明においては、
前記留め部材と、前記収納用部材とは、同一部材である、請求項１〜５のいずれかに記載のシャワーキャップであることを特徴としている。
【００１４】
また、上記課題を解決するため、請求項７に記載の発明においては、
前記キャップ本体には、長髪が濡れることを防止するために、長髪に巻いて頭髪を収用するための長髪保護部が設けられた、請求項１〜６のいずれかに記載のシャワーキャップであることを特徴としている。
【発明の効果】
【００１５】
本発明によれば、入浴時に頭髪が濡れることを防止するためのシャワーキャップにおいて、特にうなじ部分が濡れることを効果的に防ぐとともに、着脱などの取扱いが簡易なシャワーキャップを提供することができる。
【発明を実施するための最良の形態】
【００１６】
以下、本発明のシャワーキャップの好ましい実施形態の一例について、図面を参照して説明する。
本発明は、入浴時に頭髪が濡れることを防止するためのシャワーキャップであって、特にうなじ部分が濡れることを効果的に防ぐとともに、着脱などの取扱いが簡易なシャワーキャップである。
【００１７】
図１から図３は、本発明のシャワーキャップの好ましい実施形態の一例を示す図である。
図１および各図において、符号１はキャップ本体、符号１０は幅広部、符号１１は伸縮性部材、符号２は留め部材、符号３は収納用部材を示している。
また符号１５は長髪保護部、符号１６は長髪保護部留め部材、符号１７は長髪保護部保持部材を示している。
【００１８】
本発明のシャワーキャップは、頭部に巻くことによりキャップ本体が形成されるとともに、頭部に巻いた際にうなじ部分が濡れることを防止するための幅広部１０が設けられたシート状のキャップ本体１を備えている。
シャワーキャップ本体１は、防水性素材である。
シャワーキャップ本体１の素材としては、頭に巻くことのできるシート状素材であれば、軟質樹脂、防水加工を施した布、不織布、その他の各種素材あるいはこれらの混合を用いることができる。
【００１９】
幅広部１０は、図１から図３に示される形態のほか、各種の幅や形状のものを採用することができる。また、使用者の髪の長さによって、幅広部１０を面ファスナー、ホック、ボタン等により着脱や取替えができるようにして、幅や形状を変えられるようにしてもよい。
【００２０】
また、本発明のシャワーキャップは、着脱等が容易なように、シート状のキャップ本体を頭部に巻くようにしているが、頭部に巻いた際にフィットすることにより防水性を高めるため、シャワーキャップ本体１の一部または全部に、伸縮性のある素材を用いることが好ましい。
また、別の実施形態としては、シャワーキャップ本体１の、少なくとも上下それぞれの縁に、ゴム紐を貫通させた紐通し部分や、ゴム帯の縫いつけ等などを施した伸縮性部材１１が用いられた形態も好ましい。
図３は、シャワーキャップ本体１の上下それぞれの縁に伸縮性部材１１を設けた一例を示している。
【００２１】
次に本発明のシャワーキャップは、キャップ本体１に連結して設けられ、キャップ本体１を頭部に巻いた際に、キャップ本体の両端部を留める留め部材２を備えている。
留め部材２は、ピン、ホック、ボタン、面ファスナー、その他の、シート状素材からなるキャップ本体１の両端同士を固着させる部材であればよい。
【００２２】
図１、図３の例では、キャップ本体１の一方の端に設けられた留め部材２を、頭部にキャップ本体１を巻いた後に、キャップ本体１のもう一方の端側の適宜位置に留めることによって、キャップ本体１の両端同士を固着させるようにされている。
図４は、留め部材２によって頭部に本発明のシャワーキャップを巻いて装着した状態の例を示す図である。
【００２３】
次に本発明のシャワーキャップは、キャップ本体１に設けられ、シャワーキャップ収納時に掛け止め可能な収納用部材３を備えている。
収納用部材３は、掛け金、リング、掛け紐、その他の、フックあるいはポール状などの収納用・乾燥用の什器等に掛けるための部材であれば各種のものを採用することができる。
【００２４】
また、留め部材２と、収納用部材３とを兼用して、同一部材としてもよい。
図２の例では、留め部材２と、収納用部材３とを兼用して、同一部材とした一例を示している。図２において、キャップ本体１の右の端に設けられた留め部材２（兼収納用部材３）を、頭部にキャップ本体１を巻いた後に、キャップ本体１のもう左の端側に設けられた複数の留め部材２（兼収納用部材３）の内のいずれか適宜位置の部材に留めることによって、キャップ本体１の両端同士を固着させるようにされている。
【００２５】
次に、本発明のシャワーキャップの別の好ましい実施形態の一例について説明する。
図５から図７は、本実施形態の一例を示す図である。
本実施形態によれば、キャップ本体１には、長髪が濡れることを防止するために、長髪に巻いて頭髪を収用するための長髪保護部１５が設けられている。
長髪保護部１５は、図５から図７に示される形態のほか、各種の幅や形状のものを採用することができる。
長髪保護部１５は、防水性素材である。
長髪保護部１５の素材としては、頭に巻くことのできるシート状素材であれば、軟質樹脂、防水加工を施した布、不織布、その他の各種素材あるいはこれらの混合を用いることができる。
長髪保護部１５は、頭部後ろに垂れた長髪をまとめて、あるいは束ねて収用できるように、長髪を巻いて保護するようにされており、キャップ本体１と連結されて設けられている。キャップ本体１との連結は、完全に固着されていてもよく、あるいは着脱可能にされていてもよい。
【００２６】
図５を参照すると、長髪保護部１５には、頭部後ろに垂れた長髪をまとめて、あるいは束ねて収用できるように、長髪保護部１５を筒状に巻くために、長髪歩五部１５の両端を固着させるための面ファスナー、ホック、その他の長髪保護部留め部材１６が設けられている。
図６は、長髪保護部留め部材１６同士を固着させて、頭部後ろに垂れた長髪をまとめて、あるいは束ねて収用するように、長髪保護部１５を筒状に巻いた状態の一例を示している。
【００２７】
また、図５を参照すると、頭部後ろに垂れた長髪をまとめて、あるいは束ねて収用できるように、長髪を巻いて保護した後に、長髪部分を頭部上方にアップさせ、髪を濡れないようにするために、面ファスナー、ホック、その他の長髪保護部保持部材１７が設けられている。
図７は、長髪保護部１５に設けられた一方の長髪保護部保持部材１７と、キャップ本体１の後頭部あるいは頭頂部に設けられたもう一方の長髪保護部保持部材１７とを固着させて、頭部後ろに垂れた長髪をまとめて、あるいは束ねて長髪保護部１５に収用した後に、挑発保護部１５をキャップ本体１の後頭部あるいは頭頂部に固着させて、長髪部分を頭部上方にアップさせた状態の一例を示している。
【産業上の利用可能性】
【００２８】
以上詳細に説明したように、本発明によれば、入浴時に頭髪が濡れることを防止するためのシャワーキャップにおいて、特にうなじ部分が濡れることを効果的に防ぐとともに、着脱などの取扱いが簡易なシャワーキャップを提供することができる。
【図面の簡単な説明】
【００２９】
【図１】本発明のシャワーキャップの好ましい実施形態の一例を示す図である。
【図２】本発明のシャワーキャップの好ましい実施形態の一例を示す図である。
【図３】本発明のシャワーキャップの好ましい実施形態の一例を示す図である。
【図４】本発明のシャワーキャップの好ましい実施形態の一例を示す図である。
【図５】本発明のシャワーキャップの好ましい実施形態の一例を示す図である。
【図６】本発明のシャワーキャップの好ましい実施形態の一例を示す図である。
【図７】本発明のシャワーキャップの好ましい実施形態の一例を示す図である。
【図４】
2006239149.tif 000003
【図６】
2006239149.tif 000004
【図７】
2006239149.tif 000005
【図１】
2006239149.tif 000006
【図２】
2006239149.tif 000007
【図３】
2006239149.tif 000008
【図５】
2006239149.tif 000009